(57)【特許請求の範囲】
【請求項１】
魚釣用リールの給電部に接続するための給電コネクタを有したバッテリ本体と、
上記バッテリ本体を収納すると共に上記給電コネクタと上記魚釣用リールの給電部を接続するための開口部を有し、上記バッテリ本体に対して上記給電コネクタ周りに独立して回動可能である収納体と、
上記収納体に設けられ、該収納体を回動操作して上記魚釣用リールのリール本体に形成した被装着部に取り付けられる取付部と、
を具備したことを特徴とする魚釣用バッテリ装置。
【請求項２】
上記取付部は、上記収納体の開口周辺に形成されていることを特徴とする請求項１に記載の魚釣用バッテリ装置。
【請求項３】
上記バッテリ本体の給電コネクタは、上記バッテリ本体を上記収納体に収納したときに上記収納体の開口から外へ突き出ることを特徴とする請求項１または請求項２に記載の魚釣用バッテリ装置。
【請求項４】
魚釣用リールの給電部に接続するための給電コネクタを有したバッテリ本体と、
上記バッテリ本体を収納すると共に上記給電コネクタと上記魚釣用リールの給電部を接続するための開口部を有し、上記バッテリ本体に対して上記給電コネクタの接続方向に独立して移動可能である収納体と、
上記収納体に設けられ、該収納体を上記給電コネクタの軸方向に移動操作して上記魚釣用リールのリール本体に形成した被装着部に係止可能な弾性係合部材と、
を具備したことを特徴とする魚釣用バッテリ装置。
【請求項５】
上記収納体は、上記給電コネクタ部を露出する開口の部位を避けて上記バッテリ本体を出し入れする入口と、上記入口を開閉する蓋を有することを特徴とする請求項１乃至請求項４のいずれか一つに記載の魚釣用バッテリ装置。
【請求項６】
上記収納体を上記魚釣用リールに取り付けたとき、上記バッテリ本体の給電コネクタと魚釣用リール側の給電部の接続部分を液密状態に保持するシール手段を設けたことを特徴とする請求項１乃至請求項５のいずれか一つに記載の魚釣用バッテリ装置。
【発明の詳細な説明】
【技術分野】
【０００１】
本発明は、例えば釣糸が巻回されるスプールを回転駆動する駆動用モータを備えた魚釣用リールに電力を供給するために用いられる魚釣用バッテリ装置に関する。
【背景技術】
【０００２】
最近、船釣等の深場或いは沖合での釣りでは、釣糸が巻回されるスプールを駆動用モータで駆動する、いわゆる電動リールが使用されている。このような電動リールのスプール駆動用モータに給電する手段としては、バッテリ装置を釣り位置から離れた場所に設置し、長い給電コードを用いてスプール駆動用モータを内蔵するリール本体に設けた給電部に対して電力を供給する方式が知られている（特許文献１及び特許文献２参照。）。
【０００３】
ところが、このような長い給電コードを用いて、魚釣用リールと、これから遠く離れたバッテリ装置とを接続する場合にあっては、長い給電コード自体が邪魔になることに加え、魚の当たりを待ち或いは誘い操作や魚の取込み操作などの際にその長い給電コードで釣竿の動きが制約され、特に誘い操作や魚の取込み操作等を思い通りに行うことができず、操作性が劣る。
【０００４】
そこで、電動リールのスプール駆動用モータに給電する手段に電動リールと一対一の保持関係を有する専用の電池ボックスを用いて給電コードが不要な方式が提案されている（特許文献３参照）。この電池ボックス方式では、電池ボックスに接続端子を兼用する金属製ボルトを回転操作自在に装着する一方、他方の電動リールにはスプール駆動用モータに電気的に接続される接続端子を兼用する螺子穴を設け、この螺子穴に対して上記電池ボックス側のボルトを螺合することで、電池ボックス側の接続端子と電動リール側の給電端子との相互間の電気的な接続と共に電池ボックスと電動リールとの相互の固定がなされる。
【特許文献１】特開２０００−２７６７６号公報
【特許文献２】特開平１０−２１５７３７号公報
【特許文献３】実開平３−７６４６５号公報
【発明の開示】
【発明が解決しようとする課題】
【０００５】
しかしながら、上記特許文献３のものでは、電池ボックスを、接続端子を兼用する金属製ボルトにより、電動リールの螺子穴に螺合させて電気的接続及び取付け固定の両方を行う構成であるため、電動リールや電池ボックスを乱暴に扱ったりすると、電気的接続部に応力が集中して電気的接続部の負担が大きく、接続強度及び安定した給電を損なう虞がある。
【０００６】
また、電池ボックスを電動リールに装着したり取り外したりする作業は、水に濡れた手で行う場合が多く、また、寒い時には厚い手袋を装着して作業を行う場合が多い。さらに釣り作業中に電池切れを起こした場合の電池ボックスの交換にあたっては急いで行う必要があり、いずれにしても困難な環境や状況において不便なものであった。
【０００７】
本発明は上記の事情に鑑みてなされたものであり、魚釣用リールに対しての着脱操作を簡便にして容易かつ迅速に実現できるとともに信頼性の高い確実な接続が実現できるようにした魚釣用バッテリ装置を提供することを目的とする。
【課題を解決するための手段】
【０００８】
本発明は、魚釣用リールの給電部に接続するための給電コネクタを有したバッテリ本体と、上記バッテリ本体を収納すると共に上記給電コネクタと上記魚釣用リールの給電部を接続するための開口部を有し、上記バッテリ本体に対して上記給電コネクタ周りに独立して回動可能である収納体と、上記収納体に設けられ、該収納体を回動操作して上記魚釣用リールのリール本体に形成した被装着部に取り付けられる取付部とを具備したことを特徴とする魚釣用バッテリ装置である。
他の発明は、魚釣用リールの給電部に接続するための給電コネクタを有したバッテリ本体と、上記バッテリ本体を収納すると共に上記給電コネクタと上記魚釣用リールの給電部を接続するための開口部を有し、上記バッテリ本体に対して上記給電コネクタの接続方向に独立して移動可能である収納体と、上記収納体に設けられ、該収納体を上記給電コネクタの軸方向に移動操作して上記魚釣用リールのリール本体に形成した被装着部に係止可能な弾性係合部材と、を具備したことを特徴とする魚釣用バッテリ装置である。
【発明の効果】
【０００９】
本発明によれば、魚釣用リールへの魚釣用バッテリ装置の着脱操作が、厳しい釣環境においても、簡便にして容易であり、しかも、迅速に実現できるとともに、信頼性の高い確実な接続を実現できる。
【発明を実施するための最良の形態】
【００１０】
以下、本発明の実施形態に係る魚釣用バッテリ装置ついて、図面を参照して説明する。
【００１１】
図１乃至図５は本発明の一実施形態に係る魚釣用バッテリ装置を示すものである。本実施形態に係る魚釣用バッテリ装置１は、図１に示すように、収納体としての収納ケース本体２にバッテリ本体３を収納するようにしたものである。
【００１２】
上記収納ケース本体２は合成樹脂や金属等で形成された収容ケース部１１と、この収容ケース部１１の下方部分に形成された開口（入口１５）を開閉可能に閉塞する蓋部１２とからなる。上記収容ケース部１１の下方部分に形成された開口はその収容ケース部１１に上記バッテリ本体３を出し入れするための入口１５となっている。
【００１３】
蓋部１２は着脱自在な接続手段によって収容ケース部１１の下端部分に対して着脱が可能であり、例えば収容ケース部１１に入口１５からバッテリ本体３を収容したり取り外したりする際に外せるようになっている（図２参照）。閉じた蓋部１２は収容室１６内に収納したバッテリ本体３を底から押さえる。これにより、収容室１６内でのバッテリ本体３の位置を決め、そのバッテリ本体３の上下移動を抑制する。
【００１４】
図２に示すように、蓋部１２の接続手段としては互いに螺合する雌ねじ１４ａと雄ねじ１４ｂを利用している。しかし、螺合方式の他にも例えば弾性係止部を用いたスナップ方式等の他の接続手段を利用してもよい。
【００１５】
上記収納ケース本体２は収容ケース部１１と蓋部１２を密閉構造で組み立て入口１５も水が侵入しないように閉塞されるが、バッテリ本体３はそれ自体密閉構造であるため、上記収納ケース本体２の収容ケース部１１と蓋部１２の部分は必ずしも密閉構造でなくともよい。使用中、給電接続部等に熱が発生する場合があっても、その場合には、例えば、孔や網目等の通気部を形成してその熱を放出する。また、収納ケース本体２の軽量化が図れる。したがって、本実施形態では収納ケース部１１と蓋部１２で収納ケース本体２を形成したが、バッテリ本体３が脱落しないように支持できればよく、例えば鳥かご状の骨組みのみからなる収納体を用いることができる。
【００１６】
図１に示すように、上記バッテリ本体３は、例えばリチウムイオン電池等の電池２１及び充放電制御用制御部２２等を電池ケース２３内に液密的に収容したものである。電池ケース２３は合成樹脂等でそれぞれ形成された電池収容部２６の部分と、この電池収容部２６の上方部分に形成された開口を閉塞する蓋部２７の部分との２体からなる。電池収容部２６と蓋部２７は、電池ケース２３内に電池２１及び充放電制御用制御部２２を収納した後に密閉する状態に連結される。また、電池２１及び充放電制御用制御部２２は相互間が接着剤等を用いて封止状態で接合されて電池ケース２３内に密封され、外気に暴露されないように収納されている。
【００１７】
図１及び図２に示すように、電池ケース２３の上部に位置する蓋部２７には取付け穴部３１が同軸的に設けられている。この取付け穴部３１は上記バッテリ本体３の重心Ｇを通る上方端部に位置して上記重心Ｇを通る鉛直線に略同軸な筒状部３２によって形成されている。筒状部３２の上端部分は重心Ｇから遠ざかる上方に突出している。取付け穴部３１の上端は開口して上部開口３３を形成している。
【００１８】
この取付け穴部３１の内部には上記電池２１及び上記制御部２２に対し電気的に接続される給電コネクタ３５の基端側部分が嵌め込まれている。上記給電コネクタ３５の基端部には下方支持部を構成するリング部材３６が装着され、このリング部材３６が上記筒状部３２の下端に当接して係止することで上記給電コネクタ３５が取付け穴部３１から外へ抜け出すことを防止する。また、上記給電コネクタ３５の露出部途中にはつば３４が形成され、つば３４に筒状部３２の上端が当たり給電コネクタ３５を位置決めするようになっている。リング部材３６は給電コネクタ３５と取付け穴部３１との間隙を閉塞し、上記バッテリ本体３の電池収納部への水等の侵入を防止するとともに、上記バッテリ本体３に給電コネクタ３５を接着する際にその接着剤の侵入を阻止する。
【００１９】
図１に示すように、取付け穴部３１に嵌め込まれた給電コネクタ３５の上端部は重心Ｇから遠ざかる上方へ向けて上記筒状部３２の取付け穴部３１から外へ突き出される状態に取り付けられ、この取り付け位置で給電コネクタ３５は取付け穴部３１との間に配した上記接着剤またはパッキン部材３７を介して封止固定されている。上記筒状部３２の取付け穴部３１が円筒状であれば、給電コネクタ３５も円柱状のものとするなど、給電コネクタ３５の外形状は取付け穴部３１の内孔形状に合致させた形状で差し込み嵌合させているため、給電コネクタ３５の外周壁は筒状部３２の取付け穴部３１内に密着しており、給電コネクタ３５は安定する状態で確実に支えられている。また、給電コネクタ３５の外周壁とその外側に位置する筒状部３２の内周壁とも接着剤による固定も確実になる。このように給電コネクタ３５の基端側部分が上記バッテリ本体３に対して固定され、給電コネクタ３５の先端側部分のみが上記バッテリ本体３の上部開口３３から上方へ突き出す。
【００２０】
上記給電コネクタ３５の本体部材の材質は上記電池ケース２３の特に収容ケース部１１のものよりも可撓性が大きく、柔らかい材料で電気的絶縁性を有する材料、例えば合成樹脂で形成されている。
【００２１】
上記給電コネクタ３５の外端部分には後述する電動リール５０側の接続ピン端子５６を差し込める一対の接続孔４１が形成されている。各接続孔４１の内壁には導電性材料で形成された凹状の接続端子４２を配設し、いわゆるソケット型コンセントを構成している。接続端子４２は上記電池２１及び制御部２２に直接に接続されている。このため、配線系統の保護が図れ、後述する電動リール５０の給電部５２への繰り返し着脱操作が可能となる。給電コネクタ３５の基端部分は電池ケース２３の内側部分に嵌め込まれ、液密状態で接着固定した取付け状態にある。給電コネクタ３５の先端側部分は電池ケース２３の開口から外へ突き出している。
【００２２】
一方、図３に示す釣用電動リール５０の例えば前方下部には外部電源を接続するための給電部５２が配設されている。この給電部５２は例えば船の電力源や発電機または大型バッテリ等の外部電源から延びる周知の給電コードの接続コネクタ（図示せず）も接続が可能である。しかし、本実施形態ではその給電コードに代えて上述した魚釣用バッテリ装置１を接続して該電動リール５０への給電を実行する。
【００２３】
上記電動リール５０には図示しないスプールの他、スプール駆動モータ及びマイクロコンピュータ等で構成される制御部が内装されている。給電部５２に電力が給電された状態で、操作スイッチ６０を操作すると、それに応じてスプール駆動モータが駆動し、上記スプールを回転して釣糸の巻取り等の動作がなされる。
【００２４】
上記魚釣用バッテリ装置１は後で述べるような保持手段によって上記電動リール５０に装着されて吊着される（図４参照）。図３に示すように、上記電動リール５０のリール本体５１の下面部分には上記給電部５２が設けられ、この給電部５２には上記魚釣用バッテリ装置１の給電コネクタ３５が差し込まれる筒状の凹部として形成された接続口部５５が設けられている。接続口部５５の凹部内にはその底壁面から立設する複数本の接続ピン端子５６が設けられている。上記接続ピン端子５６は接続口部５５内に上記バッテリ本体３の給電コネクタ３５を差し込んだとき、その給電コネクタ３５の接続孔４１に差し込まれ、給電コネクタ３５の接続端子４２に接触して通電が可能な状態になる。
【００２５】
また、電動リール５０における給電部５２の接続口部５５の一部は、リール本体５１の下面から下方へ突き出しており、この突出した筒状の口縁部５７の外周にはねじ（雄ねじ）５８が形成され、この雄ねじ５８を利用して上記魚釣用バッテリ装置１の収納ケース本体２をリール本体５１に取り付ける被装着部５９を構成している。ここでの被装着部５９は、給電部５２の部材を利用しているが、収納ケース本体２をリール本体５１の給電部５２以外の部材を利用してリール本体５１に直接、取り付けるようにした被装着部を構成するようにしてもよい。
【００２６】
上記給電部５２を使用しないとき、その筒状の口縁部５７の外周には、電気的絶縁性材料からなる保護キャップ５３を装着する。この保護キャップ５３はリール本体５１の口縁部５７の周囲部に基端を取り付けた弾性変形自在な弾性腕部５４の先端に取り付けられている。上記魚釣用バッテリ装置１の方にも、これを使用しないときに給電コネクタ３５に被せる保護キャップ（図示せず）を設けてもよい。これにより、魚釣用バッテリ装置１が例えば携帯時等において給電コネクタ３５の部分が露出されないので、給電コネクタ３５を保護できる。
【００２７】
一方、図２に示すように、上記収納ケース本体２の上端部にはこれに収納したバッテリ本体３の給電コネクタ３５の上端部を外へ露出させる開口部６１を形成する筒状部６２が形成されている。開口部６１からバッテリ本体３の給電コネクタ３５を外へ露出させた状態で収納ケース本体２は電池ケース２３の周りに回転自在であり、両者は同軸的な配置に組み付けられている。このため、給電コネクタ３５を電動リール５０の給電部５２に接続する時の位置合わせが容易になる。
【００２８】
上記筒状部６２には上記電動リール５０の被装着部５９に取り付けて保持するための保持手段としての取付部６３が設けられている。この取付部６３は上記筒状部６２の内周面にねじ（雌ねじ）６４を形成してなるものである。この雌ねじ６４を上記電動リール５０の雄ねじ５８にねじ込んで、収納ケース本体２を上記電動リール５０に直接に装着する。取付部６３は開口部６１の周辺に形成され、開口部６１のまわりに配されている。したがって、魚釣用バッテリ装置１を電動リール５０に装着した時、給電コネクタ３５と電動リール５０の給電部５２が接続された状態で、これらのまわりの部位で取り付けられる。このため、電気的接続状態を良好に維持する。
【００２９】
上記筒状部６２の上端にはシール部材６５が周回して設けられている。そして、そのシール部材６５は、魚釣用バッテリ装置１を電動リール５０に装着したとき、リール本体５１の下面に当たり、その被装着部５９を外部からシールする手段となっている。
【００３０】
次に、電動リール５０にバッテリ装置１を取り付けて使用する場合の作用について説明する。
【００３１】
まず、図３に示すように、釣竿７１の握り部７２の先端部分に装着した状態の電動リール５０の給電部５２から保護キャップ５３を取り外し、その電動リール５０に対し、バッテリ装置１を接続する。つまり、バッテリ本体３を装填した収納ケース本体２を手に持ち、そのバッテリ装置１の給電コネクタ３５を上記電動リール５０の接続口部５５に差し込む。そして、上記電動リール５０の被装着部５９における雄ねじ５８に収納ケース本体２の取付部６３を当て、上記収納ケース本体２を操作対象として、これを給電コネクタ３５の電動リール５０の給電部５２（接続口部５５）への差し込み方向（図３の一点鎖線）に対してその周方向（図３の矢印方向）に回転し、その収納ケース本体２の取付部６３を被装着部５９にねじ込み装着する。これにより、バッテリ本体３はその底部に収納ケース本体２の底部に該当する蓋部１２が当接して支持されながら電動リール５０の給電部５２の方向に押圧されるため、その装着の操作中に給電コネクタ３５は電動リール５０の給電部５２への接続が維持され、または、より深く確実に差し込まれ、図４に示すように、バッテリ装置１は、電動リール５０の被装着部５９に吊着される。
【００３２】
また、バッテリ本体３を装填しない空の収納ケース本体２を電動リール５０の被装着部５９に取り付け、その後にバッテリ本体３を収納ケース本体２に差し込んで接続するようにしてもよい。この場合は取り付ける収納ケース本体２が軽いので容易に取り付ける操作を行うことができる。取り付けた収納ケース本体２に対するバッテリ本体３の装填は入口１５から収納ケース本体２に装填できるので簡単であり、その操作も容易である。
【００３３】
このように収納ケース本体２を大きな操作体として、これに設けられた取付部６３をリール本体５１の被装着部５９にねじ込み装着するので、水の侵入を阻止し易い装着構造であり、その取り付け操作がし易い。例えば、リール本体５１に取り付け固定する取付部を、バッテリ本体３のみに設ける場合に比べて、持ち易い大きな操作体として上記収納ケース本体２を使用できるので、取り付け作業が容易であり、簡単且つ迅速に取り付けることができる。
【００３４】
また、収納ケース本体２の電動リール５０への装着における回動操作で、バッテリ本体３は回動されないため、給電コネクタ３５と電動リール５０の給電部５２の接続状態についての不具合が生じにくい。上記収納ケース本体２はバッテリ本体３の外径及び長さ以上に大きく、最も外側に位置するので操作し易いことが分かる。
【００３５】
また、収納ケース本体２の方に取付部６３を設けるので、その取付部６３を構成するスペースに余裕があり、その取付部６３を容易に構成できる。しかも、バッテリ本体３に取付部を設けなくてもよく、電動リール５０へのバッテリ本体３の取り付けにおいてバッテリ本体３の取り付け部を直接に利用しないので、バッテリ本体３の構成を簡易にでき、しかも、バッテリ本体３への負担をかけることなく、収納ケース本体２を堅牢に組付け得ることが可能となる。さらに、取付部６３周辺の液密構造も容易に構成できるようになる。
【００３６】
また、バッテリ装置１の装着状態において、筒状部６２の上端が、リール本体５１の下面に当たり、その間にはシール部材６５が介在するので、その接続部は給電部５２と給電コネクタ３５の接続部分は外部から封止され、水や埃の浸入を阻止する。
【００３７】
また、釣り途中で、バッテリ装置１の電池２１が消耗した場合は、予め別に用意していた充電済みの新たなバッテリ本体３と容易に交換することができる。すなわち、収納ケース本体２ごと古いバッテリ本体３を取り外し、新たなバッテリ本体３を収納した収納ケース本体２を装着するか、収納ケース本体２を電動リール５０に装着した図４の状態のまま、収納ケース本体２の蓋部１２を取り外し、収納ケース本体２の入口１５を開放し、この入口１５から古いバッテリ本体３を収納室１６から引き抜き、新たなバッテリ本体３を収納室１６に差し込み、新たなバッテリ本体３の給電コネクタ３５を電動リール５０の給電コネクタ３５に差し込み接続する。そして、蓋部１２を装着し、入口１５を閉塞する。
【００３８】
なお、この場合、蓋部１２が新たなバッテリ本体３の底部に当接し、蓋部１２で入口１５の閉塞操作中にバッテリ本体３を電動リール５０の給電部５２の方向へ押圧し、場合によっては移動させ、給電コネクタ３５を給電部５２に確実に差し込み、また、差し込み状態を維持する。
【００３９】
したがって、収納ケース本体２を電動リール５０に装着したまま、バッテリ本体３の交換ができる。また、収納ケース本体２はそのバッテリ本体３の交換の際のガイドになり、バッテリ本体３の交換作業が簡単で迅速かつ確実に行うことができる。また、バッテリ本体３を素早く交換できるので、長時間にわたり電動リール２０の使用が略途切れることなく、釣りを続けることが可能になる。
【００４０】
また、上記リール本体５１に取り付け固定する取付部６３を収納ケース本体２の方に設けるので、リール本体５１に取り付け固定する取付部６３をバッテリ本体３にのみ設ける場合に比べて、取付部６３の構成が容易であり、しかも、バッテリ本体３を堅牢に組付け得ることが可能となる。また、取付部６３の液密構造も容易に構成できる。また、バッテリ本体３は収納ケース本体２に収納されて電動リール５０に装着されているため、釣りの最中に他の物に接触してもバッテリ本体３への影響は小さく、給電コネクタ３５と給電部５２の接続に不具合が生じにくい。
【００４１】
ところで、バッテリ装置１において最も重くなる要因は電池２１の重さであるが、この電池２１を含むバッテリ本体３を、電動リール５０に保持する収納ケース本体２に収納するようにしたので、その重いバッテリ本体３をその収納ケース本体２で支えることができる。このため、重いバッテリ本体３の部分を電動リール５０に直接支える保持部や接続部を省略またはその構造の簡略化ができる。また、バッテリ装置１側の給電コネクタ３５と電動リール５０側の給電部５２との電気的接続状態を損なわせることなく電気的接続状態を良好に維持することが可能である。
【００４２】
また、給電コネクタ３５の部材は電池ケース２３に比べて可撓性が大きく、柔らかい材料で形成しているため、電池ケース２３とそれに収納するものの慣性等で上記給電コネクタ３５に負荷が加わってもその負荷を緩和する。また、電池ケース２３は収納ケース本体２に略密に収納されているので、その収納ケース本体２により動きが抑制され、または電池ケース２３に外部から直接に外力が加わらないので、バッテリ本体３及び給電接続部分を保護できる。したがって、激しくバッテリ装置１が動かされる状況であっても、その給電コネクタ３５との電気的接続の安定を確保できる。
【００４３】
図６は本発明の他の実施形態に係る魚釣用バッテリ装置を示すものである。本実施形態に係る魚釣用バッテリ装置１は、上記電動リール５０の被装着部５９に収納ケース本体２を取り付けて保持するための保持手段としての取付部６３が上述した実施形態のものと以下に述べる点で相違する。
【００４４】
すなわち、上記収納ケース本体２の筒状部６２の上端に、上方へ突き出す複数の弾性係止片８１からなる係合部材を所定の間隔で設け、一方、上記電動リール５０の給電部５２の口縁部５７の外周には上記弾性係止片８１にそれぞれ対応する複数の凹状係止凹部または周回する溝からなる係止受け部８２を設ける。上記弾性係止片８１の上方延出端には上記係止受け部８２に嵌め込まれる係止用突起８３と、操作部８４が一体に形成されている。
【００４５】
この場合は、収納ケース本体２の弾性係止片８１の係止用突起８３を上記電動リール５０の係止受け部８２に嵌め込むことで、上記収納ケース本体２を収納ケース本体２の取付部６３を上記電動リール５０の給電部５２の口縁部５７にワンタッチで装着することができる。上記収納ケース本体２を回転させることなく押し込んで簡単に装着できる。
【００４６】
また、上記収納ケース本体２を取り外す場合は操作部８４に指を掛けて弾性係止片８１を引き上げ、係止受け部８２から外しながら収納ケース本体２を引くことにより簡単に取り外せる。
【００４７】
この実施形態における他の構成に関しては、上記実施形態と略同様に構成されることで、同一部分には同一符号を付して、それらの詳細な説明を省略する。
【００４８】
なお、本発明の各実施形態では、バッテリ本体３の給電コネクタ３５を凸状に形成したが、これは、凹状に形成された電動リール５０の給電部５２に接続可能に対応させるためであって、接続する電動リール５０の給電部５２の形態に応じて形成すればよく、例えば、凹状など他の形状に形成できる。
【００４９】
したがって、本発明の各実施形態では、収納ケース本体２にバッテリ本体３を収納した時に給電コネクタ３５が収納ケース本体２の開口部６１から外方に突出するようにしたが、突出しないように形成してもよい。
【００５０】
収納ケース本体２の開口部６１はこれを通じてバッテリ本体３の給電コネクタ３５と電動リール５０の給電部５２が通電可能に接続されるもので、魚釣用バッテリ装置１が電動リール５０に装着された時に、その開口部６１には、バッテリ本体３の給電コネクタ３５か、電動リール５０の給電部５２か、又はその両方が挿通される。
【００５１】
また、本発明の実施形態では、魚釣用バッテリ装置１を電動リール５０の下方に吊着して装着したが、電動リール５０の側方や斜めに突出するように装着したり、さらには収納ケース本体２が開口部６１周辺の取付部６３に加え収容ケース部１１や蓋部１２などの他の部分を電動リール５０に装着できるようにしてもよい。
【００５２】
さらに、上記各実施形態では、スプール駆動モータの電源として使用した場合について説明したが、これに限ることなく、その他、糸長計測装置等の給電を必要とする給電を必要とするものの電源として使用することも可能である。また、本発明は上記実施形態に限ることなく、その要旨を逸脱しない範囲で種々の変形を実施し得ることが可能である。
【図面の簡単な説明】
【００５３】
【図１】本発明の一実施形態に係る魚釣用バッテリ装置の縦断面図である。
【図２】上記魚釣用バッテリ装置を各部分に分解して示す縦断面図である。
【図３】上記魚釣用バッテリ装置を電動リールに装着する直前の状態を示した一部断面して示す説明図である。
【図４】上記魚釣用バッテリ装置を電動リールに装着した状態を示した一部断面して示す説明図である。
【図５】上記魚釣用バッテリ装置を電動リールに装着した接続部を拡大して示す一部断面図である。
【図６】本発明の他の実施形態に係る魚釣用バッテリ装置を電動リールに装着した接続部を拡大して示す一部断面図である。
【符号の説明】
【００５４】
１…魚釣用バッテリ装置、２…収納ケース本体、３…バッテリ本体
１１…収容ケース部、１２…蓋部、１５…入口、１６…収納室、
２０…電動リール、２１…電池、２２…充放電制御用制御部
２３…電池ケース、２６…電池収容部、２７…蓋部、３５…給電コネクタ
５０…釣用電動リール、５１…リール本体、５２…給電部、５５…接続口部
５６…接続ピン端子、５７…口縁部、５９…被装着部、６１…開口部
６２…筒状部、６３…取付部
【図１】
0004806555.tif 000002
【図２】
0004806555.tif 000003
【図３】
0004806555.tif 000004
【図４】
0004806555.tif 000005
【図５】
0004806555.tif 000006
【図６】
0004806555.tif 000007